(57)【要約】【課題】マスク着用時、織布が呼吸により吸引されて口元に纏わり付き、息苦しさや不快さを感じたり、マスクの見映えが悪くなることがなく、マスク本体のずれ落ちを含む上下方向の位置ずれも防止できる立体布マスクを提供する。【解決手段】湾曲自在な織布製で、かつ中央部がカップ状に膨らんだマスク本体１１と、マスク本体１１の左右両側に配設された一対の耳掛け部１２とを備えた立体布マスク１０において、マスク本体１１の左右方向の中間部に、その上下方向の全長にわたって細長い板片からなる、口および鼻の前方に空間を保持する保形部材１３を設けた。また、マスク本体１１の左右方向の中間部の上部裏側に、鼻背の上部に当接されてマスク本体１１のずれ落ちを含む上下方向の位置ずれを防止する蝶形リボンストッパ３０を設けた。【選択図】図１
0003230400.tif 000002
【実用新案登録請求の範囲】
【請求項１】
湾曲自在な織布製で、かつ中央部がカップ状に膨らんだマスク本体と、該マスク本体の左右両側に配設された一対の耳掛け部と、
前記マスク本体の左右方向の中間部に設けられて、口および鼻の前方に空間を保持する保形部材とを備えた立体布マスクであって、
前記保形部材は、前記マスク本体の左右方向の中間部に、その上下方向の全長にわたって設けられた変形可能な細長いテープ状の板片で、
前記マスク本体の左右方向の中間部の上部には、その裏側に、鼻背の上部に当接されて前記マスク本体の上下方向の位置ずれを防止するずれ止め部材が設けられたことを特徴とする立体布マスク。
【請求項２】
前記ずれ止め部材は、シリコーン含有シート製で、かつ前記鼻背の上部の両側面に当てがわれる左右一対のリボン環を有した蝶形リボンストッパであることを特徴とする請求項１に記載の立体布マスク。
【請求項３】
前記マスク本体は、左右一対の織布シートを有し、かつこれらの織布シートの円弧状に膨らんだ隣接側の端部同士を、一方の裏面と他方の表面とを重ね合わせた状態で縫合したもので、
前記マスク本体の縫合部分の裏側には、この縫合部分の全長にわたって、細長い織布からなる裏布が、前記縫合部分との間で前記保形部材を収納する収納袋部を画成するように縫着され、
前記ずれ止め部材は、前記収納袋部の上部の裏側に設けられたことを特徴とする請求項１または請求項２に記載の立体布マスク。
【考案の詳細な説明】
【技術分野】
【０００１】
本考案は、立体布マスク、詳しくは織布製のマスク本体を有する立体布マスクに関する。
【背景技術】
【０００２】
２０２０年は、世界的な新型コロナウイルス感染症「ＣＯＶＩＤ−１９」のパンダミックが発生し、感染防止具としてのマスク、殊に、顎の下まで被覆が可能で、かつ安価でウイルスの捕獲性も高いプリーツ型の不織布マスクが不足している。
そのため、最近では価格や機能面でプリーツ型不織布マスクに比べて劣るものの、例えば、特許文献１などのような“立体布マスク”に注目が集まっている。
従来の立体布マスクは、口元や鼻を覆う中央部がカップ状に膨らんだ湾曲自在な織布製のマスク本体と、マスク本体の左右両側に配設された一対の耳掛け部とを備えたものである。
【先行技術文献】
【特許文献】
【０００３】
【非特許文献１】洗って使えるマスク、［令和２年９月１２日検索］、インターネット＜ＵＲＬ  ｈｔｔｐｓ：／／ｉｔｅｍ．ｒａｋｕｔｅｎ．ｃｏ．ｊｐ／ｈｍｊ−ｓｈｏｐ／１００００００８／＞
【考案の開示】
【考案が解決しようとする課題】
【０００４】
しかしながら、特許文献１の立体布マスクは、口元や鼻を覆うカップ状に膨らんだマスク本体の中央部が、柔らかい織布から構成されていた。そのため、マスク着用時、織布が呼吸により吸引されて口元に纏わり付き、息苦しさや不快さを感じていた。しかも、呼吸するたびにカップ部分の織布が変形し、マスクの見映えが悪くなっていた。
また、マスク本体が柔らかい織布から構成されていたため、例えばマスクを着用しての会話中、口の動きに伴いマスク本体が上下動して、徐々に鼻からマスク本体がずれ落ちていた。殊に、耳掛け部を耳に掛けづらい小耳症の患者の場合には、この位置ずれが顕著となっていた。
【０００５】
そこで、考案者は鋭意研究の結果、マスク本体の左右方向の中間部に、その上下方向の全長にわたって、口および鼻の前方に空間を保持可能な細長い板片からなる保形部材を設けるとともに、マスク本体の左右方向の中間部の裏側上部に、鼻背に当接されて、マスク着用中のマスク本体の上下方向の位置ずれ、特にずれ落ちを防ぐずれ止め部材を設ければ、上述した課題はすべて解消されることを知見し、この考案を完成させた。
【０００６】
本考案は、このような問題点に鑑みなされたものであって、マスク着用時、織布が呼吸により吸引されて口元に纏わり付き、息苦しさや不快さを感じたり、マスクの見映えが悪くなることがなく、しかもマスク着用中のマスク本体の鼻背に沿った、ずれ落ちを含む上下方向の位置ずれも防止できる立体布マスクを提供することを目的としている。
【課題を解決するための手段】
【０００７】
請求項１に記載の考案は、湾曲自在な織布製で、かつ中央部がカップ状に膨らんだマスク本体と、該マスク本体の左右両側に配設された一対の耳掛け部と、前記マスク本体の左右方向の中間部に設けられて、口および鼻の前方に空間を保持する保形部材とを備えた立体布マスクであって、前記保形部材は、前記マスク本体の左右方向の中間部に、その上下方向の全長にわたって設けられた変形可能な細長いテープ状の板片で、前記マスク本体の左右方向の中間部の上部には、その裏側に、鼻背の上部に当接されて前記マスク本体の上下方向の位置ずれを防止するずれ止め部材が設けられたことを特徴とする立体布マスクである。
【０００８】
ここでいう“立体布マスク”とは、中央部がカップ状に膨らんで、水洗い等により再使用が可能な織布製のマスクである。
マスク本体のサイズは限定されない。大人（成人男性）用サイズ、女性用サイズ、子供用サイズなど任意である。
織布の素材としては、例えば、コットン、麻、羊毛、パルプなどの各種の天然セルロース繊維を採用することができる。その他、人絹、ポリノジック、キュプラ（登録商標）などの各種の再生セルロース繊維でもよい。
【０００９】
マスク本体は、湾曲自在でかつ中央部がカップ状に膨らんだ形状のものであれば、例えば、大判な１枚の織布からなるものでも、複数枚の織布シートを接合（縫合）したものでもよい。
マスク本体は、複数枚の薄い織布を厚さ方向に積層したものでもよい。
掛け紐は、マスク本体と一体形成しても、別体で形成してもよい。
掛け紐の素材は任意である。例えば、マスク本体と同一素材でも、ゴム紐などの別体でもよい。
【００１０】
保形部材の素材は、変形可能なものであれば任意である。例えば、各種の金属、各種の合成樹脂などを採用することができる。
保形部材の形状は、細長いテープ状の板片であれば任意である。
保形部材のサイズは、保形部材の長さが、マスク本体の左右方向の中間部における上下方向の長さと同一であれば限定されない。
保形部材の厚さは任意である。例えば、０．５ｍｍ〜３ｍｍでもよい。
保形部材の取り付け位置は、マスク本体の左右方向の中間部であれば任意である。例えば、その表側でも、その裏側でもよい。
【００１１】
「マスク本体の左右方向の中間部の上部のうち、その裏側」とは、マスク本体の裏側（マスクの内側）のうち、マスク着用時に鼻背の上部と接触する部分を意味する。
ここでいう「ずれ落ち」とは、例えば、マスクを着用しての会話中、口の動きに伴いマスク本体が上下動して、マスク本体が鼻背に沿って徐々にずれ落ちることをいう。ずれ止め部材とは、このマスク本体のずれ落ちを含む上下方向の位置ずれを防止するものである。
なお、ずれ止め部材によるマスク本体の位置ずれを防止する方向は、少なくとも上下方向（特に、下方向）である。例えば、上下方向だけでなく左右方向を含んでもよい。
ずれ止め部材の素材は任意である。例えば、各種の布帛（織布、不織布など）、各種の合成樹脂（特に、シリコーンなど防滑性を有するもの）、各種の金属、各種の紙などを採用することができる。
ずれ止め部材の形状は任意である。例えば、シート状でも、板状でも、線状でも、ブロック状でもよい。
ずれ止め部材のサイズは、鼻背に当てがわれてマスク本体の上下方向への位置ずれを防止できれば任意である。
【００１２】
請求項２に記載の考案は、前記ずれ止め部材は、シリコーン含有シート製で、かつ前記鼻背の上部の両側面に当てがわれる左右一対のリボン環を有した蝶形リボンストッパであることを特徴とする請求項１に記載の立体布マスクである。
【００１３】
ここでいうシリコーン含有シートとは、少なくとも鼻に当接する面に防滑性を有するシリコーンが存在するシートである。例えば、織布をシリコーンディップ処理したもの、織布や紙の表面にシリコーンを塗布したもの、薄肉なシリコーンシートなどでもよい。
各リボン環の長さ方向（軸軸線方向）は、マスク本体の上下方向である。なお、各リボン環は、互いの軸線方向を平行とした方が好ましい。これは、マスク本体が鼻背に沿って徐々にずれ落ちる際に、下方向へ徐々に末広がり状の鼻背に対して、互いに平行なリボン環のストッパ効果が高まるためである。
蝶形リボンストッパは、例えば、１本のシリコーン含有シートからなるリボンを折り曲げて形成することができる。その他、別体で形成した左右一対のリボン環を組み合わせて形成してもよい。
【００１４】
請求項３に記載の考案は、前記マスク本体は、左右一対の織布シートを有し、かつこれらの織布シートの円弧状に膨らんだ隣接側の端部同士を、一方の裏面と他方の表面とを重ね合わせた状態で縫合したもので、前記マスク本体の縫合部分の裏側には、この縫合部分の全長にわたって、細長い織布からなる裏布が、前記縫合部分との間で前記保形部材を収納する収納袋部を画成するように縫着され、前記ずれ止め部材は、前記収納袋部の上部の裏側に設けられたことを特徴とする請求項１または請求項２に記載の立体布マスクである。
【００１５】
左側の織布シートは、マスク本体を中央から左右に二つ折りした際の、左側のシート部分である。一方、右側の織布シートは、それの右側のシート部分である。
各織布シートの隣接側の端部は、平面視して、縫合後のマスク本体の中央部がカップ状となるように、それぞれ円弧状に膨らんでいる。
裏布は、マスク本体と同一素材でも、異なる素材でもよい。
【考案の効果】
【００１６】
請求項１に記載の考案によれば、マスク着用時、マスク本体の左右方向の中間部に配された保形部材により、口および鼻の前方に空間が確保されるため、織布が呼吸により吸引されて口元に纏わり付き、息苦しさや不快さを感じたり、マスクの見映えが悪くなることがない。
また、保形部材として、マスク本体の左右方向の中間部における、上下方向の長さを有した変形可能な細長いテープ状の板片を採用したため、保管時にマスクを二つ折りにし易く、かつ低コスト化も図れる。
一方、マスク着用時には、マスク本体の左右方向の中間部の上部のうち、その裏側に設けたずれ止め部材が鼻背の上部に当接される。そのため、例えば、マスクを着用した会話中、口の動き（特に、下顎の動き）に伴ってマスク本体が上下動し、徐々に鼻からマスク本体がずれ落ちようとする。しかしながら、このマスク本体のずれ落ちを含む上下方向の位置ずれをずれ止め部材により防止することができる。その結果、耳に引っ掛けた耳掛け部がずれ易い小耳症の患者にとって好適のマスクとなる。
【００１７】
特に、請求項２に記載の考案によれば、ずれ止め部材として、防滑性を有するシリコーン含有シート製の蝶形リボンストッパを採用したため、マスク着用時、適度な伸縮性とクッション性を有した左右一対のリボン環が、鼻背の両側面にそれぞれ押し当てられる。
例えば、この状態で着用者が会話をした際には、口の動きに伴ってマスク本体が上下動し、このマスク本体は徐々に鼻背に沿ってずれ落ちようとする。しかしながら、鼻背の左右側に当接された各リボン環は、一旦変形しながらこのずれ方向へ引っ張られるものの、その形状復元作用により、この位置ずれしたマスク本体は元の位置付近まで引き戻される。これにより、マスク本体のずれ落ちを含む上下方向の位置ずれが防止される。
さらに、このようにシリコーン含有シート製の蝶形リボンストッパを採用したことで、例えば、ブロック状のずれ止め部材の場合に比べて、マスクを長時間着用しても鼻背が痛くなりにくい。
【００１８】
また、請求項３に記載の考案によれば、マスク本体として、左右一対の織布シートの円弧状に膨らんだ隣接側の端部同士を、一方の裏面と他方の表面とを重ね合わせた状態で縫合し、かつこの縫合部分の裏側に、これの全長にわたって、細長い織布からなる裏布を、この縫合部分との間で保形部材用の収納袋部を画成するように縫着したものを採用している。
なお、細長い保形部材は、この収納袋部に、外面がマスク本体の縫合部分の裏側（裏面）と接触するように収納される。
【００１９】
ところで、（１）仮に、保形部材をこの中間部の表側に配すれば、その分だけマスク本体の中間部に上下方向に長い筋状の隆起物が現出し、立体布マスクのデザイン性が低下する。また、例えば、左右一対の織布シートの隣接側の端部同士を、外部への突出状態で、互いの裏面同士が接触するように縫合した場合にも、これよりも高い筋状の隆起物がマスク本体の中間部に現出する。
そこで、ここでは、各織布シートの円弧状に膨らんだ隣接側の端部同士を、一方の裏面と他方の表面とを重ね合わせた状態で縫合するとともに、保形部材をマスク本体の中間部の裏側に設けている。
【００２０】
（２）また、変形可能な細長い保形部材は、各マスク着用時に、着用者の鼻の形状に合わせて適宜変形させられる。そのため、このように保形部材をマスク本体の左右方向の中間部の裏側に配すれば、この変形のたびに保形部材の外面がこの中間部の裏側に擦れるとともに、再使用のため、マスクを繰り返し洗濯するときにも、保形部材がこの中間部分に押し当てられることで、この箇所に破れが生じ易くなる。そこで、ここでは、各織布シートの隣接側の端部同士を、一方の裏面と他方の表面とを重ね合わせた状態で縫合することで、この中間部の厚みを増して強度を高めている。
【００２１】
（３）さらに、保形部材をこの中間部の裏側に取り付ける際には、例えば、（ａ）接着、（ｂ）ミシンを使用した中央部の裏側への保形部材の直縫い、（ｃ）この中間部の裏側に、保形部材用の細長い収納袋の縫着などによる取り付け形態が考えられる。
このうち、（ａ）および（ｂ）の場合には、上述した繰り返しの洗濯時や、マス着用時の着用者の鼻の形状に合わせた繰り返しの保形部材の変形時に、接着剤の剥がれや、ミシン糸のほつれが発生し易い。そのため、保形部材をこの縫合部分の裏側に取り付けるにあたっては、これらの問題が生じない、（ｃ）の細長い収納袋を使用する仕方が好適である。
【００２２】
しかも、この（ｃ）であれば、着用者の鼻に保形部材が直接触れない。そのため、顔面、特に鼻へのマスクの肌触りも良好となる。ただし、この収納袋は、あらかじめ袋状にしたものは好ましくない。その理由は、これを採用した場合には、縫合部分の裏側と保形部材との間に収納袋の外側部分が挟み込まれてしまい、この織布の厚さ分だけ、マスク本体の中間部が外方へ筋状に隆起し、立体布マスクの見映えを損ねるおそれがあるためである。そこで、ここでは、縫合部分の全長にわたって、細長い織布からなる裏布を、この縫合部分（中間部）との間で保形部材を収納する収納袋部を画成するように縫着している。
【００２３】
以上の点を踏まえて、この請求項３の本考案では、上記（１）〜（３）の課題を同時に解消するために、上述した構成を採用するに至ったものである。
すなわち、立体布マスクのデザイン性を低下させないよう、マスク本体の左右方向の中間部（縫合部分）をできるだけ隆起させず、かつこの中間部に、繰り返しの洗濯や保形部材の繰り返し変形を行っても、破れにくい強度を付与するとともに、着用時の立体布マスクの肌触り、特にマスクの左右方向の中間部と鼻との肌触りが好適となる立体布マスクを提供するものである。
【００２４】
また、例えば、このマスク本体の左右方向の中間部の上部裏側に、直接、ずれ止め部材を設ける構成を採用した場合には、仮にこのずれ止め部材の取り付けに不備があったとき、マスク本体ごとこれを廃棄せざるを得ない事態が生じるおそれがある。しかしながら、この請求項３では、ずれ止め部材が直接取り付けられる部材を収納袋部としたため、仮にこのような不測の事態が発生しても、マスク本体より廉価な収納袋部の廃棄で済ませることが可能となる。
【図面の簡単な説明】
【００２５】
【図１】本考案の実施例１に係る立体布マスクの一部拡大断面図を含む斜視図である。
【図２】本考案の実施例１に係る立体布マスクの各部品を示す全体平面図である。
【図３】本考案の実施例１に係る立体布マスクの左，右側織布シートの縫合作業を示す斜視図である。
【図４】本考案の実施例１に係る立体布マスクの一部分解状態を示す斜視図である。
【図５】この立体布マスクの収納袋部に保形部材を収納する作業途中の状態を示す斜視図である。
【図６】本考案の実施例１に係る立体布マスクの一部を構成する蝶形リボンストッパの要部拡大斜視図である。
【図７】本考案の実施例１に係る立体布マスクの着用状態を示す斜視図である。
【考案を実施するための形態】
【００２６】
以下、本考案の実施例を、図面を参照して具体的に説明する。
【実施例】
【００２７】
図１において、１０は本考案の実施例１に係る立体布マスクで、この立体布マスク１０は、湾曲自在な織布製で、かつ中央部がカップ状に膨らんだマスク本体１１と、マスク本体１１の左右両側に配設された一対の耳掛け部１２と、マスク本体１１の左右方向の中間部に設けられて、口および鼻の前方に空間を保持する保形部材１３とを備えている。
【００２８】
図１および図２に示すように、マスク本体１１は、着用時に、鼻腔および上顎洞の表面を含んで、顔面の顎部から口元部、鼻部およびその左右両側の頬部の全体を覆う形状およびサイズを有したポリエステル８２％、ポリウレタン１８％の化学繊維製のシートである。
マスク本体１１は、左右方向の中間の左半分である左側織布シート１４と、残り右半分の右側織布シート１５とを有している。左，右側織布シート１４，１５の隣接側（マスク中央側）の端部は互いに縫合されて（以下、これを縫合部分ａという）、側面視して円弧状に膨らんでいる。
左右一対の耳掛け部１２は、各先端部が略半楕円形状の織布で、各基端部が対応する側の織布シート１４，１５の外側の端部に、それぞれ同一素材で一体形成されている。各耳掛け部１２には、横長な楕円形状の耳掛け穴１６が配設されている。
【００２９】
図１に示すように、マスク本体１１の縫合部分ａの裏側には、この縫合部分ａの全長にわたって、細長い織布（幅約１ｃｍ）からなる裏布１７が、縫合部分ａとの間で保形部材１３を収納する収納袋部１８を画成するように縫着されている。この裏布１７は、縫合部分ａの長さより長尺である。
保形部材１３は、金属製のワイヤ（図示せず）が芯材として埋設された、細長い湾曲自在な合成樹脂製のテープである。保形部材１３の厚さは０．８ｍｍである。
【００３０】
また、図１および図６に示すように、収納袋部１８の上部の裏側（マスク内側）には、着用者の鼻背の上部に当接されてマスク本体１１の上下方向への位置ずれを防止する蝶形ストッパ（ずれ止め部材）３０が設けられている。
蝶形リボンストッパ３０は、織布からなるリボンをシリコーンディップ処理した（シリコーン含有シート製の）１本のリボンＲを蝶の羽根状に湾曲形成したものである（図２も参照）。
蝶形リボンストッパ３０は、このリボンＲからなり、かつ鼻背の上部の両側面に当てがわれる左右一対の平行なリボン環３１を有している。
リボンＲのサイズは、長さが約５ｃｍ、幅が約２ｃｍ、厚さが約０．１ｍｍである。
また、各リボン環３１は、それぞれ軸線がマスク本体１１の上下方向に延びる直径が約７ｍｍのものである。
【００３１】
ここで、図１〜図５を参照して、立体布マスク１０の製造方法を説明する。
予め、左側織布シート１４と、右側織布シート１５と、裏布１７と、保形部材１３と、１本のリボンＲとを準備する（図２を参照）。
まず、左，右側織布シート１４，１５の隣接側の端部同士を、一方の裏面と他方の表面とを重ね合わせた状態でミシン縫いして、マスク本体１１を形成する（図３を参照）。
【００３２】
その後、マスク本体１１の縫合部分ａの裏側に、長さ方向の両端部をそれぞれ内側に折り畳んだ裏布１７を、この縫合部分ａとの間で保形部材用の収納袋部１８を画成するように縫着する（図４および図５を参照）。このとき、裏布１７の長さ方向の一端部は縫着せず、解放しておく。
次いで、この開放部分ｂから保形部材１３を収納袋部１８に差し込み、その後、裏布１７の開放側の端部を縫合部分ａに縫着する。これにより、保形部材１３が収納袋部１８に封入される。
【００３３】
次いで、図６に示すように、１本のリボンＲを使用して、収納袋部１８の上部の裏側に蝶形ストッパ３０を設ける。具体的には、収納袋部１８の上部裏側の幅方向の一端部にリボンＲの長さ方向の一端部を縫着後、収納袋部１８の上部裏側の幅方向の他端部にリボンＲの長さ方向の他端部を縫着する。その後、リボンＲの長さ方向の中間部を、収納袋部１８の上部裏側の幅方向の中間部に縫着する。なお、これら３本の縫着ラインは互いに平行状態である。また、各縫着時には、マスク本体１１の縫合部分ａも一体的に縫着するものとする。このようにして、立体布マスク１０が作製される（図１を参照）。
【００３４】
次に、図７を参照して、実施例１の立体布マスク１０の着用方法を説明する。
図７に示すように、立体布マスク１０の使用にあたっては、蝶形リボンストッパ３０を鼻背の上部に押し当てた状態で、左右の耳に各耳掛け部１２をそれぞれ掛止する。これにより、鼻腔および上顎洞の表面を含んで、顔面の顎部から口元部、鼻部およびその左右両側の頬部の全体がマスク本体１１により覆われる。このとき、左右一対のリボン環３１が、鼻背の上部の両側面にそれぞれ押し当てられる。
その後、保形部材１３を指先で適宜変形させながら、口および鼻の前方に、息苦しさを解消するための空間を確保する。
【００３５】
このように、立体布マスク１０は、マスク着用時、マスク本体１１の左右方向の中間部に配された保形部材１３により、口および鼻の前方に空間が確保される。そのため、マスク本体１１の織布が呼吸により吸引されて口元に纏わり付き、息苦しさや不快さを感じたり、立体布マスク１０の見映えが悪くなることがない。
また、保形部材１３として、マスク本体１１の左右方向の中間部における、上下方向の長さを有した変形可能な細長い板片を採用したため、保管時に立体布マスク１０を二つ折りにし易く、かつ低コスト化も図れる。
【００３６】
さらに、立体布マスク１０にあっては、マスク本体１１の左右方向の中間部の上部に蝶形リボンストッパ３０を設けたため、マスク着用中、マスク本体１１がずれ落ちにくくなる。その結果、耳に引っ掛けた耳掛け部１２がずれ易い小耳症の患者にとって好適なマスクとなる。
さらにまた、この蝶形リボンストッパ３０として、シリコーンディップされたリボンＲからなるものを採用したため、安価で軽量なずれ止め部材であるにも拘わらず、左右一対のリボン環３１には十分な防滑性が得られるともに、適度な伸縮性、クッション性および高い形状復元性も得られる。
例えば、マスク着用中、着用者が会話をした際には、口の動き（特に、下顎の動き）に伴ってマスク本体１１が上下動し、マスク本体１１は徐々に鼻背に沿ってずれ落ちようとする。しかしながら、鼻背の左右側に当接された各リボン環３１は、一旦変形しながらこのずれ方向へ引っ張られるものの、その形状復元作用により、マスク本体１１は元の位置付近まで引き戻される。これにより、ずれ落ちを含むマスク本体１１の上下方向の位置ずれが防止される。また、各リボン環３１の軸線は互いに平行であるため、一般的に下向き末広がり状の鼻背に沿ってマスク本体１１が徐々にずれ落ちるとき、鼻背に対するストッパ効果は高まる。
【００３７】
また、ここでは、ずれ止め部材として蝶形リボンストッパ３０を採用したため、例えば、ブロック状のずれ止め部材を用いたときに比べて、立体布マスク１０を長時間着用しても鼻背が痛くなりにくい。
さらに、蝶形リボンストッパ３０を収納袋部１８の上部の裏側に設けたため、例えば、このように蝶形リボンストッパ３０を、マスク本体１１に縫着後の収納袋部１８に縫着するのではなく、あらかじめ蝶形リボンストッパ３０を裏布１７の上部の裏側に縫着しておけば、仮にこの蝶形リボンストッパ３０の縫着に不備があっても、マスク本体１１ごとこれを廃棄する必要がなくなり、マスク本体１１より廉価な裏布１７との廃棄で済ませることも可能となる。
さらにまた、図示しないものの後頭部に、ゴムバンドなどからなる耳掛け紐掛止具を配置し、これに左右一対の耳掛け部１２を各引っ掛けて、マスク着用時の両耳の痛みを解消してもよい。なお、この場合にも、マスク着用中の口の動きに伴うマスク本体１１のずれ落ちなどは発生する。
【００３８】
ところで、ここではマスク本体１１として、左右一対の織布シート１４，１５の円弧状に膨らんだ隣接側の端部同士を、一方の裏面と他方の表面とを重ね合わせた状態で縫合し、かつこの縫合部分ａの裏側に、これの全長にわたって、細長い織布からなる裏布１７を、この縫合部分ａとの間で保形部材１３用の収納袋部１８を画成するように縫着したものを採用している。なお、細長い保形部材１３は、この収納袋部１８に、外面がマスク本体１１の縫合部分ａの裏側（裏面）と接触するように収納されている。
【００３９】
（１）仮に、保形部材１３をこの中間部の表側に配すれば、その分だけマスク本体１１の中間部に上下方向に長い筋状の隆起物が現出し、立体布マスク１０のデザイン性が低下する。また、例えば、左右一対の織布シートの隣接側の端部同士を、外部突出状態で互いの裏面同士が接触するように縫合した場合にも、これよりも高い筋状の隆起物がマスク本体の中間部に現出する。
そこで、この立体布マスク１０では、各織布シート１４，１５の円弧状に膨らんだ隣接側の端部同士を、一方の裏面と他方の表面とを重ね合わせた状態で縫合するとともに、保形部材１３をマスク本体１１の中間部の裏側に設けている。
【００４０】
（２）また、変形可能な細長い保形部材１３は、各マスク着用時に、着用者の鼻の形状に合わせて適宜変形させられる。そのため、このように保形部材１３をマスク本体１１の左右方向の中間部の裏側に配すれば、この変形のたびに保形部材１３の外面がこの中間部の裏側に擦れるとともに、再使用のため、立体布マスク１０を繰り返し洗濯する際にも、保形部材１３がこの中間部分に何度も押し当てられることで、この箇所に破れが生じ易くなる。そこで、ここでは、各織布シート１４，１５の隣接側の端部同士を、一方の裏面と他方の表面とを重ね合わせた状態で縫合することで、このマスク本体１１の中間部を厚くして強度を高めている。
【００４１】
（３）さらに、保形部材１３をこの中間部の裏側に取り付ける際には、例えば、（ａ）接着、（ｂ）ミシンを使用した中央部の裏側への保形部材１３の直縫い、（ｃ）この中間部の裏側に、保形部材１３用の細長い収納袋の縫着などが考えられる。
このうち、（ａ）および（ｂ）の場合には、上述した繰り返しの洗濯時や、マス着用時の着用者の鼻の形状に合わせた繰り返しの保形部材１３の変形時に、接着剤の剥がれや、ミシン糸のほつれが発生し易い。そのため、保形部材１３をこの縫合部分ａの裏側に取り付けるにあたっては、これらの問題が生じない、（ｃ）の細長い収納袋（収納袋部１８）を使用する仕方が好適である。
【００４２】
しかも、この（ｃ）であれば、着用者の鼻に保形部材１３が直接触れない。そのため、顔面、特に鼻へのマスクの肌触りも良好となる。ただし、この収納袋は、あらかじめ袋状にしたものは好ましくない。その理由は、これを採用した場合には、縫合部分ａの裏側と保形部材１３との間に収納袋の外側部分が挟み込まれてしまい、この織布の厚さ分だけ、マスク本体１１の中間部が外方へ筋状に隆起し、立体布マスク１０の見映えを損ねるおそれがあるためである。そこで、ここでは、縫合部分ａの全長にわたって、細長い織布からなる裏布１７を、この縫合部分（中間部）ａとの間で保形部材１３を収納する収納袋部１８を画成するように縫着している。
【００４３】
以上の点を踏まえて、この実施例１の立体布マスク１０では、上記（１）〜（３）の課題を同時に解消するために、上述した構成を採用している。
その結果、立体布マスク１０のデザイン性を低下させないよう、マスク本体１１の左右方向の中間部（縫合部分ａ）をできるだけ隆起させず、かつ左,右側織布シートの隣接側の端部同士を重ね合わせて、この中間部に、繰り返しの洗濯や繰り返しの保形部材１３の変形がなされても破れにくい強度を付与することができるとともに、着用時の立体布マスク１０の肌触り、特にマスクの左右方向の中間部と鼻との肌触りも好適とすることができる。
【産業上の利用可能性】
【００４４】
本考案は、湾曲自在な織布製のマスク本体を有する立体布マスクの技術として有用である。
【符号の説明】
【００４５】
１０，１０Ａ  立体布マスク
１１  マスク本体
１２  耳掛け部
１３  保形部材
１４  左側織布シート
１５  右側織布シート
１７  裏布
１８  収納袋部
３０  蝶形リボンストッパ（ずれ止め部材）
３１  リボン環
ａ  縫合部分
【図１】
0003230400.tif 000003
【図２】
0003230400.tif 000004
【図３】
0003230400.tif 000005
【図４】
0003230400.tif 000006
【図５】
0003230400.tif 000007
【図６】
0003230400.tif 000008
【図７】
0003230400.tif 000009